(57)【要約】【課題】  屋外用として筐体を耐腐食性に優れたステンレスで構成する照明器具であっても、放熱性に問題がなく、しかも振動を吸収することができるようにする。【解決手段】  発光ダイオード１２０からなる光源１００と、この光源１００を制御する制御回路（図示省略）が回路箱体２１０に格納された回路部２００と、これらを格納する筐体部３００とを備えており、前記筐体部３００は、光源１００からの光が透過する透光性を有するグローブ３２０と、このグローブ３２０が取り付けられるとともに、前記回路部２００が格納されるステンレス製の筐体本体部３１０とを有しており、前記回路部２００と筐体本体部３１０との間にはバネ性を有する緩衝材４００が介在されている。【選択図】      図１
2011134652.tif 000002
【特許請求の範囲】
【請求項１】
発光ダイオードからなる光源と、この光源を制御する制御回路が回路箱体に格納された回路部と、これらを格納する筐体部とを具備しており、前記筐体部は、光源からの光が透過する透光性を有するグローブと、このグローブが取り付けられるとともに、前記回路部が格納されるステンレス製の筐体本体部とを有しており、前記回路部と筐体本体部との間にはバネ性を有する緩衝材が介在されていることを特徴とする照明器具。
【請求項２】
前記緩衝材は、金属製であることを特徴とする請求項１記載の照明器具。
【請求項３】
前記緩衝材は、金属板を凸に湾曲させた接触部を有しており、前記回路箱体に取り付けられた状態で、前記接触部を筐体本体部の内面に接触させていることを特徴とする請求項１又は２記載の照明器具。
【請求項４】
前記緩衝材は、複数個存在することを特徴とする請求項１、２又は３記載の照明器具。
【請求項５】
請求項１乃至４の照明器具は、安全増防爆型であることを特徴とする照明器具。
【発明の詳細な説明】
【技術分野】
【０００１】
本発明は、屋外等で使用する照明器具に関する。
【背景技術】
【０００２】
出願人は、光源として発光ダイオードを使用した照明器具として、特願２００８−２０６０９１を出願した。
この照明器具は、可燃性ガス等を取り扱う危険個所において使用されるものであって、安全増防爆性能を充足するため、発光ダイオードをハンダ付けすることなく、ワイヤボンディングで接続し、しかも発光ダイオードと電極部とを合成樹脂製の密閉部で密閉した構造になっている。
【０００３】
【特許文献１】特願２００８−２０６０９１
【発明の開示】
【発明が解決しようとする課題】
【０００４】
この種の発光ダイオードを光源として使用する照明器具では、発光ダイオードの長寿命化のために発光ダイオードから発せられる熱をいかにして効率よく放熱するかが問題となる。
照明器具の筐体をアルミニウムで構成するのであれば、放熱性の問題はないのであるが、屋外で使用する照明器具であると、筐体を耐腐食性に優れたステンレスで構成する必要があるため、放熱という点からアルミニウム等より劣っているステンレスを使用しなければならない屋外用のものは放熱性の点で問題があった。
【０００５】
また、工場、工事現場、道路脇等の振動の多い箇所で使用する照明器具では、内部の光源の振動を抑える必要があるが、従来のものでは特に考慮がされていなかった。
【０００６】
本発明は、上記事情に鑑みて創案されたもので、屋外用として筐体を対腐食性に優れたステンレスで構成する照明器具であっても、放熱性に問題がなく、しかも振動を吸収することができる照明器具を提供することを目的としている。
【課題を解決するための手段】
【０００７】
本発明に係る照明器具は、発光ダイオードからなる光源と、この光源を制御する制御回路が回路箱体に格納された回路部と、これらを格納する筐体部とを備えており、前記筐体部は、光源からの光が透過する透光性を有するグローブと、このグローブが取り付けられるとともに、前記回路部が格納されるステンレス製の筐体本体部とを有しており、前記回路部と筐体本体部との間にはバネ性を有する緩衝材が介在されている。
【０００８】
前記緩衝材は、金属製であることが望ましい。
【０００９】
前記緩衝材は、金属板を凸に湾曲させた接触部を有しており、前記回路箱体に取り付けられた状態で、前記接触部を筐体本体部の内面に接触させている。
【００１０】
前記緩衝材は、複数個存在する。
【発明の効果】
【００１１】
本発明に係る照明器具は、回路部と筐体本体部との間にバネ性を有する緩衝材が介在されているため、回路部や発光ダイオードから発せられる熱を効果的に筐体本体部に伝えて放熱することができる。特に、対腐食性に優れるが放熱性に若干の問題があるステンレスを筐体本体部の素材として使用する屋外用の照明器具に効果的である。また、緩衝材にはバネ性があるので、緩衝材で振動を吸収することができ、振動が光源や回路部に伝わらないというメリットもある。
【図面の簡単な説明】
【００１２】
【図１】本発明の実施の形態に係る照明器具の概略的断面図である。
【図２】本発明の実施の形態に係る照明器具の概略的一部断面図である。
【図３】本発明の実施の形態に係る照明器具を構成する回路部を構成する格納する回路箱体、内枠及び閉塞板と、閉塞板に取り付けられた緩衝材の図面であって、同図（Ａ）は概略的正面図、同図（Ｂ）は概略的平面図、同図（Ｃ）は概略的底面図である。
【図４】本発明の実施の形態に係る照明器具を構成する光源の図面であって、同図（Ａ）は概略的底面図、同図（Ｂ）は概略的正面図である。
【発明を実施するための形態】
【００１３】
本発明の実施の形態に係る照明器具１０００は、発光ダイオード１２０からなる光源１００と、この光源１００を制御する制御回路（図示省略）が回路箱体２１０に格納された回路部２００と、これらを格納する筐体部３００とを備えており、前記筐体部３００は、光源１００からの光が透過する透光性を有するグローブ３２０と、このグローブ３２０が取り付けられるとともに、前記回路部２００が格納されるステンレス製の筐体本体部３１０とを有しており、前記回路部２００と筐体本体部３１０との間にはバネ性を有する緩衝材４００が介在されている。
【００１４】
前記光源１００は、丸形の基板１１０の一面に実装された複数個（図面では１６個）の発光ダイオード１２０の電極と基板の電極とをワイヤボンディングで接続し、さらに発光ダイオード１２０、電極及びワイヤボンディングを合成樹脂で密封したものである。また、基板１１０の終端電極１１１は、圧着端子１３０をビス止めして制御回路と接続されることになる。光源１００をこのように構成することによって、発光ダイオード１２０では困難であった安全増防爆型としての要求を充足することができた。
なお、前記光源１００の基板１１０の他面には、アルミニウムや銅等の熱伝導性に優れた金属からなる放熱フィン１４０が取り付けられている。
【００１５】
なお、基板１１０は発光ダイオード１２０から光を反射することができるように、表面に光沢がある。また、前記発光ダイオード１２０は、白色光を発するものであって、青色光を発するチップを用い、このチップを青色光を白色光に波長変換する蛍光体が含有された合成樹脂で密閉したもの使用する。
【００１６】
前記基板１１０には一対の切り込み部１１２が形成されており、この切り込み部１１２には表裏両面から挟み込むように円形のスペーサ１５０が取り付けられている。
【００１７】
一方、照明器具１０００の主な外観を構成する筐体部３００は、略砲弾型のステンレス製の筐体本体部３１０と、この筐体本体部３１０に取り付けられる透光性を有するガラス製のグローブ３２０とを有している。前記筐体本体部３１０は、後述する回路部２００を格納可能となっている。かかる筐体本体部３１０の窄まった側（図１において上端側）は格納される回路部２００の電源ライン等が通過できるように管状になっている。また、筐体本体部３１０の最も広がった部分（図１において下端側）はフランジ部３１１が形成されている。このフランジ部３１１は、前記グローブ３２０がはまり込む部分である。
【００１８】
一方、前記グローブ３２０のフランジ部３２２の全周にはパッキン３２１が取り付けられている。前記筐体本体部３１０とグローブ３２０とは、ヒンジ部３３１によって開閉可能に連結されており、ロック部３３２によって気密状態に閉じた状態を維持するようになっている。
【００１９】
なお、太めの針金を組み合わせてなるガード部３４０がグローブ３２０をカバーするように前記フランジ部３１１に取り付けられている。
【００２０】
前記回路部２００は、制御回路と、これを格納する回路箱体２１０と、この回路箱体２１０を格納する内枠２２０と、この内枠２２０を閉塞する閉塞板２３０とを有している。
【００２１】
前記回路箱体２１０には、内部の制御回路を電源とを接続するための電源用コネクタ２１１が設けられている。この電源用コネクタ２１１は、回路箱体２１０が筐体本体部３１０に格納されると、筐体本体部３１０の窄まった部分、すなわち電源ライン等が通過する管状になった部分に臨む位置に設けられている。
【００２２】
前記内枠２２０は、熱伝導性に優れた金属板を略有底円筒形状に成形したものである。この内枠２２０の開放端には外側に向かったフランジ部２２１が形成されている。
【００２３】
かかる内枠２２０を閉塞する閉塞板２３０は、内枠２２０を閉塞すると同時に回路箱体２１０をも閉塞するようになっている。この閉塞板２３０は、内枠２２０のフランジ部２２１にネジ止めで取り付けられる。なお、この閉塞板２３０も内枠２２０と同様に熱伝導性に優れた金属板から形成されている。
【００２４】
この閉塞板２３０は、内枠２２０の閉塞端及び回路箱体２１０を閉塞する板部２３１と、この板部２３１の縁部から反回路部側に向かって突出する一対の光源取付部２３２と、この光源取付部２３２が設けられていない縁部から外側に向かって延出された複数個（図面では１０個）の緩衝材取付部２３４とが一体に形成されたものである。
【００２５】
前記光源取付部２３２は、板部２３１の縁部から略直角方向に折曲形成されたものであって、側面視略台形状に形成されている。なお、この光源取付部２３２の先端は光源１００を取り付けるために、さらに外側に向かって略直角方向に折曲形成された光源取付舌片２３５となっている。
【００２６】
前記光源取付部２３２があるため、取り付けられた光源１００と閉塞板２３０の板部２３１の間には隙間が確保される。この隙間は、前記放熱フィン１４０が位置するスペースとして利用される。
なお、前記光源１００は、基板１１０のスペーサ１５０を前記光源取付部２３２の光源取付舌片２３５にネジ止めすることで回路部２００に構造的に取り付けられる。
【００２７】
また、前記緩衝材取付部２３４の先端は、緩衝材取付舌片２３６として回路部側に向かって略直角方向に折曲成形されている。
この緩衝材取付部２３４は、図３に示すように、光源取付部２３２が設けられていない部分において放射状になっているので、回路部２００の熱を均等に放熱することができ、しかも後述する振動を確実に吸収することができるようになっている。
【００２８】
一方、前記緩衝材４００は、熱伝導性に優れたベリリウム銅板からなる。かかる緩衝材４００は、略短冊状の金属板を折曲形成させたものであり、前記緩衝材取付部２３４の緩衝材取付舌片２３６に取り付けられる部分であるネジ止め部４１０と、このネジ止め部４１０より凸に湾曲させられた接触部４２０を有している。この緩衝材４００は、ネジ止め部４１０で前記緩衝材取付部２３４に対して片持ち支持で取り付けられると、すなわち緩衝材４００が前記回路部２００に取り付けられると、前記接触部４２０が筐体本体部３１０の内面に接触するようになっている。
【００２９】
また、内枠２２０の外面には、前記緩衝材４００とほぼ同等の形態を有する補助緩衝材４５０が取り付けられる。この補助緩衝材４５０は、熱伝導性に優れた略短冊状のベリリウム銅板を折曲形成したものであって、前記内枠２２０の外面に取り付けられる部分であるネジ止め部４５１と、このネジ止め部４５１より凸に湾曲させられた接触部４５２を有している。そして、内枠２２０が筐体本体部３１０に格納されると、接触部４５２が筐体本体部３１０の内面に接触するようになっている。
【００３０】
このため、回路部２００から発生した熱は、回路箱体２１０→閉塞板２３０→取付舌片緩衝材取付部２３４→緩衝材４００→筐体本体部３１０の順、回路箱体２１０→内枠２２０→補助緩衝材４５０→筐体本体部３１０の順でそれぞれ伝わって放散される。
【００３１】
緩衝材４００、補助緩衝材４５０は、帯状のベリリウム銅を折曲形成したものであるから、照明器具１０００に振動が加わっても、筐体部３００の振動が回路部２００や光源１００にそのままではなく減衰して伝わることになる。すなわち、回路部２００や光源１００は振動の影響を受けにくくなっているのである。
【００３２】
なお、上述した実施の形態では、緩衝材４００を熱伝導性に優れた金属板からなる板バネ状のものとしたが、本発明がそれに限定されるわけではない。
例えば、熱伝導性に優れかつ弾性を有する合成樹脂やゴム等をブロック状にして回路部２００と筐体本体部３１０との間に介在させることで、放熱と振動吸収を行うようにしてもよい。
【符号の説明】
【００３３】
１００    光源
１２０    発光ダイオード
２００    回路部
３００    筐体部
３１０    筐体本体部
３２０    グローブ
４００    緩衝材
【図１】
2011134652.tif 000003
【図２】
2011134652.tif 000004
【図３】
2011134652.tif 000005
【図４】
2011134652.tif 000006